【事件の表示】
　特願２００４−３８１３８７号「浴槽装置」拒絶査定不服審判事件〔平成１８年　７月１３日出願公開、特開２００６−１８１２９０号〕について、次のとおり審決する。
【結　論】
　本件審判の請求は、成り立たない。
【理　由】
Ｉ．手続の経緯  
　本願は、平成１６年１２月２８日の出願であって、平成２２年２月２２日付けで拒絶査定がなされた。これに対し、平成２２年５月２４日に拒絶査定不服審判の請求がなされ、同日付けで手続補正書が提出されたものである。
　その後、当審において、平成２４年２月２日付けで拒絶理由通知が通知され、これに対し、平成２４年４月９日付けで意見書及び手続補正書が提出されたものである。 
 　  
II．本願発明  
　本願の請求項１に係る発明（以下、「本願発明」という。）は、平成２４年４月９日付けの手続補正書により補正された特許請求の範囲の請求項１に記載された事項により特定される次のとおりのものである。  
「空気中の酸素濃度よりも高濃度の酸素を含む酸素富化空気を供給する酸素富化空気供給手段と、前記酸素富化空気供給手段からの酸素富化空気の供給を受けて浴槽内の浴水に酸素富化空気からなる微細気泡を発生する微細気泡発生装置を備え、前記酸素富化空気供給手段から供給される酸素富化空気の酸素濃度が２５％〜４０％で、微細気泡発生装置から浴水中に供給される酸素濃度２５％〜４０％の酸素富化空気を、湯温約４０℃の浴水中に溶解し、この酸素富化空気が溶解した浴水を浴槽への吐出口で減圧して吐出させることで、溶解した酸素富化空気を気泡径２００ｎｍ〜１００μｍの酸素富化空気の微細気泡として発生させ、浴槽内の湯温約４０℃の浴水中の溶存酸素量を７ｍｇ／Ｌ〜１３ｍｇ／Ｌとすることを特徴とする浴槽装置。」
 　  
III．当審の拒絶理由 
　一方、当審において平成２４年２月２日付けで通知した拒絶理由の概要は、本願発明は、本願の出願日前に頒布された特開平４−２３４７号公報に記載された発明、特開平８−２４６０６号公報に記載された発明及び技術常識に基いて当業者が容易に発明をすることができたものであるから、特許法第２９条第２項の規定により特許を受けることができない、というものである。 
 　 
IV−１．引用刊行物の記載事項  
（１）引用刊行物の記載事項  
　原査定の拒絶の理由に引用された、本願の出願前に日本国内に頒布された刊行物である特開平４−２３４７号公報（以下、「引用刊行物１」という。）には、図面とともに、以下の事項が記載されている。  
（ア）「（１）浴槽の湯水を循環させる管路に気体を供給する供給部を設け、この供給部に酸素富化空気を供給するための酸素富化装置を設けて成ることを特徴とする浴槽内への酸素供給装置。 
（２）浴槽の湯水を循環させる管路中に気体を供給する供給部を設け、管路の吸入口から吸入した液体と供給部から供給された気体とを混合し加圧することにより液体に気体を溶解させ且つこの液体を再び減圧することによって微細気泡を析出して浴槽内に放出する微細気泡発生装置を構成し、この微細気泡発生装置の気体の供給部に酸素富化空気を供給するための酸素富化装置を設けて成ることを特徴とする請求項１記載の浴槽内への酸素供給装置。・・・」（特許請求の範囲）  
（イ）「本発明は浴槽内の浴水中に酸素を供給するための装置に関するものである。」（第１頁右下欄第９行〜１０行）  
（ウ）「本発明は上記の従来例の問題点に鑑みて発明したものであって、その目的とするところは、簡単な構成で浴槽内の酸素濃度を高くすることができ、また、炭酸泉とすることもでき、保温効果、健康促進効果がある浴槽内への酸素供給装置を提供するにある。」（第２頁右上欄第８行〜１３行） 
（エ）「上記目的を達成するために、本発明における酸素供給装置は、浴槽９の湯水を循環させる管路４に気体を供給する供給部５を設け、この供給部５に酸素富化空気を供給するための酸素富化装置Ｂを設けて成ることを特徴とするものである。 
　また、浴槽９の湯水を循環させる管路４中に気体を供給する供給部５を設け、管路４の吸入口２から吸入した液体と供給部５から供給された気体とを混合し加圧することにより液体に気体を溶解させ且つこの液体分再び減圧することによって微細気泡を析出して浴槽内に放出する微細気泡発生装置Ａを構成し、この微細気泡発生装置Ａの気体の供給部５に酸素富化空気を供給するための酸素富化装置Ｂを設けてもよい。 
 ・・・ 
［作用] 
　しかして、浴槽９の湯水を管路４により循環させて供給するようにするに当たり、管路４に設けた供給部５から酸素富化装置Ｂにより発生させた酸素富化空気を供給することで浴槽９に吐出する湯水に高い濃度の酸素が供給されることになる。 
　また、酸素富化装置Ｂを構成する酸素富化膜５ｂを通過する際に酸素だけでなく炭酸ガスも高濃度となり、浴槽９内の湯水に高い濃度の炭酸ガスを混合させることができることになる。」（第２頁右上欄第１５行〜右下欄第４行）  
（オ）「以下本発明を図示された実施例に基づいて詳述する。 
　第１図乃至第３図に示す実施例にあっては、浴槽９内に微細気泡を噴出する場合の実施例を示してある。９は浴槽であり、この浴槽９の内壁には液体１である浴槽９内の浴水１ａを吸入する吸入口２を設けてあり、吸入口２より吸入された浴水は吐出口３より噴出されるようにしである。４は吸入口２と吐出口３との間に亘って配管された管路であり、この管路４には微細気泡発生装置Ａが設けである。微細気泡発生袋装置Ａは吸入口２から浴槽９内の浴水１ａを吸入し且つ吐出口３より噴出させることができる加圧ポンプ１０と、加圧ポンプ１０を駆動するためのモータ１１と、加圧ポンプ１０の水下側に位置する管路４に設置されたアキュムレータ６と、加圧ポンプ１０と吸入口２との間に位置する管路４に設けた気体である空気を管路４に供給するための供給部５とで構成してある。この供給部５は酸素富化装置Ｂとなっている。酸素富化装置Ｂはファン５ｄを有する空気入り口５ａと、空気入り口５ａから吸気された空気が通過する酸素富化膜５ｂと、酸素富化膜５ｂを通過した気体が管路４側に供給される出口５ｃとで構成してある。酸素富化膜５ｂは分離膜の両面に圧力差を設けることにより、大気側の酸素が膜表面に「溶解」し膜内を「拡散」移動し、減圧側の膜表面から脱離するという原理で酸素富化空気が得られるものであるが、この時同時に炭酸ガスも富化されるものである。一方、窒素も同じように移動するが、「溶解」と「拡散」のスピードが酸素に比べて２．５倍あるため結果として、酸素及び炭酸ガス富化空気が得られるものである。・・・ 
　しかして、モータ１１によって加圧ポンプ１０が駆動されると液体１である浴槽９内の浴水１ａが吸入口２を介して管路４内に吸入される。そして、供給部５から酸素富化装置Ｂを介して酸素及び炭酸ガス富化空気が管路４内に吸入され、浴水１ａと混合され加圧ポンプ１０にて加圧されて浴水１ａ中に酸素及び炭酸ガス富化空気が加圧溶解する。」（第３頁左上欄第１１行〜左下欄第２０行）  
（カ)「そして、このアキュムレ−タ６を通った浴水１ａは高濃度の酸素及び高濃度の炭酸ガスが高濃度に溶解された状態となり、この高濃度に酸素及び炭酸ガス富化空気が溶解された浴水１ａを再び吐出口３より浴槽９内に噴出させるものであり、吐出口３より酸素及び炭酸ガス富化空気が溶解された浴水１ａを浴槽９内に噴出させると、浴水１ａは加圧状態から一気に圧力が解放された状態となり、このため、浴水１ａ中に溶解していた酸素及び炭酸ガス富化空気は析出し、微細気泡となって浴槽９内の浴水１ａ中に生じることとなるものである。この場合、吐出口３には網、多孔質体等を設けたノズルとなっていて、減圧されて微細気泡がより発生しやすくしてある。そして、この微細気泡には高濃度の酸素及び高濃度の炭酸ガスが含まれていることになる。したがって、高濃度の酸素により健康促進効果が得られ、高濃度の炭酸ガスにより炭酸泉効果が得られ、また、保温性が向上するものである。ちなみに、酸素富化膜を通して酸素及び炭酸ガス富化空気とすると、空気中の酸素の濃度が２４％から３２％に向上し、炭酸ガス濃度が３００ｐｐｍから１０００ｐｐｍに向上するものである。」（第３頁右下欄第２０行〜第４頁右上欄第２行）  
（キ）「第４図には酸素富化装置Ｂの他の具体例が示してある。・・・ 
　第５図には本発明の他の実施例が示してある。この実施例においては、浴槽９の湯水を循環させる管路４中に気体を供給する供給部５を設け、管路４の吸入口２から吸入した液体を吐出口３からジェット噴射するジェット噴射装置Ｃを設け、このジェット噴射装置Ｃの気体の供給部５に酸素富化空気を供給するための酸素富化装置Ｂを設けたものである。」（第４頁左下欄第３行〜右下欄第５行）  
（ク）「本発明にあっては、叙述のように浴槽の湯水を循環させる管路に気体を供給する供給部を設け、この供給部に酸素富化空気を供給するための酸素富化装置を設けてあるので、浴槽に吐出する湯水に高い濃度の酸素が供給されることになり、また、酸素富化装置を構成する酸素富化膜を通過する際に酸素だけでなく炭酸ガスも高濃度となり、浴槽内の湯水に高い濃度の炭酸ガスを混合させて炭酸泉とすることもでき、保温効果、健康促進効果が優れたものとなる。また、浴槽の水面上部において酸素のリッチな空間ができ、入浴者の呼吸による酸素摂取量を増加することができ、疲労回復の促進がはかれ、また入浴時の息苦しさを和らげることができてリラックスして入浴ができる。 
　また、浴槽の湯水を循環させる管路中に気体を供給する供給部を設け、管路の吸入口から吸入した液体と供給部から供給された気体とを混合し加圧することにより液体に気体を溶解させ且つこの液体を再び減圧することによって微細気泡を析出して浴槽内に放出する微細気泡発生装置を構成し、この微細気泡発生装置の気体の供給部に酸素富化空気を供給するための酸素富化装置を設けたものにおいては、液体に高濃度となった酸素及び高濃度となった炭酸ガスが含まれた気体が溶解混合され、この気体が溶解混合された液体を吐出口より吐出させることによって浴水中に酸素濃度及び炭酸ガス濃度が高い微細気泡が発生するものであり、・・・また、微細気泡の酸素濃度が高いため、健康増進効果が向上するものである。」（第４頁右下欄第１８行〜第５頁右上欄第９行）  
（ケ）上記記載事項（オ)及び第１図の記載より、引用刊行物１に記載されたものは浴槽９と微細気泡発生装置Ａと酸素富化装置Ｂとを有する浴槽装置を構成しているといえる。 
（コ）上記記載事項（エ）、（カ）及び（ク）より、引用刊行物１に記載されたものは微細気泡発生装置Ａから浴水中に供給される酸素濃度３２％の酸素富化空気を、浴水中に溶解し、この酸素富化空気が溶解した浴水を浴槽への吐出口で減圧して吐出させることで、溶解した酸素富化空気を微細気泡として発生させ、浴槽内の浴水中の溶存酸素量を高めるといえる。
 　 
　以上の記載事項及び図示内容を総合すると、上記引用刊行物１には、以下の発明が記載されている。（以下、「引用発明」という。）  
「空気中の酸素濃度よりも高濃度の酸素を含む酸素富化空気を供給する酸素富化装置Ｂと、前記酸素富化装置Ｂからの酸素富化空気の供給を受けて浴槽内の浴水に酸素富化空気からなる微細気泡を発生する微細気泡発生装置Ａを備え、前記酸素富化装置Ｂから供給される酸素富化空気の酸素濃度が３２％で、微細気泡発生装置Aから浴水中に供給される酸素濃度３２％の酸素富化空気を、浴水中に溶解し、この酸素富化空気が溶解した浴水を浴槽への吐出口で減圧して吐出させることで、溶解した酸素富化空気を微細気泡として発生させ、浴槽内の浴水中の溶存酸素量を高める浴槽装置。」 
 　 
　原査定の拒絶の理由に引用された、本願の出願前に日本国内に頒布された刊行物である特開平８−２４６０６号公報（以下、「引用刊行物２」という。）には、図面とともに、以下の事項が記載されている。  
（サ）「【請求項１】 所定の水圧を有する水源へ水入口側を接続したエアーエジェクタと、エアーエジェクタの空気吸入口側へ接続した空気吸入バルブと、エアーエジェクタの水出口側に接続した気泡水内の気泡を微細化する気泡微細化混合器と、気泡微細化混合器の出口側に接続した微細気泡水を再攪拌するエマルジョン化タンクとから形成した自動微細気泡水発生装置。・・・」（特許請求の範囲）  
（シ）「本発明は、水中へ多数の微細気泡を分散混合させることにより、溶存酸素量を大幅に増加した微細気泡水の製造装置の改良に係り、主として園芸及び農業用散水や風呂用水、洗濯用水等の製造に使用されるものである。」（段落【０００１】） 
（ス）「本発明は、従前の気泡水発生装置に於ける上述の如き問題、即ち（１）装置の構造が複雑で大形となり、しかも作動操作が複雑で手数がかかること、（２）粒径の揃った微細気泡が混入した理想的な気泡水が得られないこと、（３）気泡水からの気泡の抜け出しが比較的早いこと等の問題を解決せんとするものであり、小形で取扱い性に優れ、しかも、粒径の揃った微細気泡を高混合率で且つ均質に含有する理想的なエマルジョン状の気泡水を容易に得られるようにした微細気泡水発生装置を提供するものである。」（段落【０００５】）  
（セ）「以下図面に基づいて本発明の実施例を説明する。図１は本発明に係る自動微細気泡水発生装置のブロック構成図であり、図２は気泡の微細化混合器の断面図、図３はエマルジョン化タンクの断面図である。 
　図１に於いて、１は原水タンク、２は空気吸引バルブ、３はエアーエジェクタ、４はポンプ、５は気泡微細化混合器、６は圧力計、７はエマルジョン化タンク、８は圧力調整バルブ、９は気泡水貯留タンクである。前記気泡微細化混合器５は図２に示す如く、金属又は合成樹脂製筒体５ａの内部に多孔質セラミックの粒状充填体５ｂを充填したものであり、多孔質セラミックとしては比重２．５〜４．０、直径１〜３ｍｍφ程度の球状体が使用されている。」（段落【０００８】〜【０００９】）  
（ソ）「前記エマルジョン化タンクは図３に示す如く、密閉状の外側タンク７ａと、その内部に同芯状に配設した上方開放形の内側タンク７ｂとから形成されており、内側タンク７ｂの下方へ圧入された微細気泡水１０は内側タンク７ｂ内を上昇流となって流れ、その上から外側タンク７ａ内へ下降流となって流下し、出口７ｃより外方へ排出されて行く。 
　次に、本発明の作動について説明する。図１を参照して先ず、ポンプ４（例えば１００Ｖ、０．４ＫＷ、１２ｌ／ｍｉｎ）を起動し、原水タンク１内の水をエアーエジエクタ３を通して気泡微細化混合器５内へ圧入する。また、前記ポンプ４の起動と同時に空気吸引バルブ２の開度を調整し、エアーエジェクタ３を介して吸水中へ混入する空気１１の混入量を所定値に制御する。」（段落【００１１】〜【００１２】）  
（タ)「空気吸入バルブ２を開放すると、エアーエジェクタ３の発生する吸引力によって所定量の空気１１が吸水１２内へ吸引混入される。また、前記空気１１が混入した水（気泡水）１２ａは、引き続き２〜５ｋｇ／ｃｍ2の圧力で気泡微細化混合器５内へ導入され、筒体５ａ内に充填した多孔質セラミック粒状充填体５ａの孔部内を通過する間に、気泡水１２ａ内の比較的大きな気泡が粒径１〜１０μｍ程度の微細気泡に細分化されると共に、水内へより均一に攪拌混合されることになる。 
 ・・・ 
　前記気泡微細化混合器５で気泡が微細化された微細気泡水１０は、引き続きエマルジョン化タンク７内へ圧入され、内側タンク７ｂ内を旋回しつつ上向流となって流通したあと、その上方開口から外側タンク７ａ内へ放出され、下降流となって流下する。この間に、微細気泡水１０は再度十分に攪拌混合されることになり、微細気泡が均質に分散したエマルジョン状態の微細気泡水１０が形成される。 
　エマルジョン化タンク７を通過する間にエマルジョン状態にされた微細気泡水１０は、圧力調整バルブ８を通して微細気泡水貯留タンク９内へ送られ、該タンク９内で一旦貯留されたあと、必要箇所へ給水されて行く。尚、微細気泡水１０を圧力調整バルブ９から直接に必要箇所へ給水してもよいことは勿論である。」（段落【００１４】〜【００１７】） 
（チ）「本発明の装置により製造した微細気泡水１０には、粒径１〜３０μｍ（平均粒径３〜１０μｍ）の微細気泡が約２０〜４０ＶＯＬ％の混合率で混合されており、その結果、水内の溶存酸素は定常飽和状態の値の２０〜５０％増加していることが、試験結果より確認されている。また、エマルジョン化された微細気泡水１０内の微細気泡は、気泡水１０を静置せしめた場合でも容易に水と分離せず、約１０分間程度はエマルジョン化状態に保持される。即ち、微細気泡水１０の貯留可能時間が長いため、当該気泡水１０の使用が極めて便宣となる。 
　前記微細気泡水内の気泡は比較的安定した分散系を形成し、長時間水溶液中に存在する。・・・また風呂用水として用いた場合には、人体の洗浄効果等が向上する。加えて、水溶液中の微細気泡は消費される溶存酸素を次々に補給する作用をするため、水の嫌気化の防止や消毒・殺菌作用を果たすことになり、洗濯や風呂用水としては極めて好都合である。・・・」（段落【００１８】〜【００１９】） 
（ツ）「また、水流の有する運動エネルギーを利用して空気の吸引、気泡の微細化及び微細気泡水のエマルジョン化等の作用が全て行なわれるため、装置の運転操作も極めて単純化でき、取扱が容易となる。更に、製造された微細気泡水は長時間に亘ってエマルジョン状態に保持されるため長期に亘って活性を保持することになり、使用上極めて便宣となる。加えて、本発明により製造された微細気泡水は微細気泡を多量に含むため、高い洗浄効果や殺菌効果、植物の生育促進効果等を発揮することができる。上述の如く、本願発明は優れた実用的効用を奏するものである。」（段落【００２１】） 
  
　以上の記載事項及び図示内容を総合すると、上記引用刊行物２には、以下の発明が記載されている。（以下、「引用発明２」という。）  
 「 エアーエジェクタの水出口側に接続した気泡水内の気泡を微細化する気泡微細化混合器と、気泡微細化混合器の出口側に接続した微細気泡水を再攪拌するエマルジョン化タンクとから形成し、微細気泡水には、粒径１〜３０μｍ（平均粒径３〜１０μｍ）の微細気泡が約２０〜４０ＶＯＬ％の混合率で混合されており、水内の溶存酸素は定常飽和状態の値の２０〜５０％増加し、水は風呂用水として用いれる自動微細気泡水発生装置。」 
　 
IV．対比・判断  
　本願発明と引用発明を対比すると、その機能及び構成からみて、後者の「酸素富化装置Ｂ」は前者の「酸素富化空気供給手段」に、以下同様に、「微細気泡発生装置Ａ」は「微細気泡発生装置」に、「前記酸素富化装置Ｂから供給される酸素富化空気の酸素濃度が３２％で」は「前記酸素富化空気供給手段から供給される酸素富化空気の酸素濃度が２５％〜４０％で」に、及び「酸素濃度３２％の酸素富化空気」は「酸素濃度２５％〜４０％の酸素富化空気」にそれぞれ相当する。  
　また、後者の「微細気泡発生装置Ａから浴水中に供給される酸素濃度３２％の酸素富化空気を、浴水中に溶解し、この酸素富化空気が溶解した浴水を浴槽への吐出口で減圧して吐出させることで、溶解した酸素富化空気を微細気泡として発生させ、浴槽内の浴水中の溶存酸素量を高める」と前者の「微細気泡発生装置から浴水中に供給される酸素濃度２５％〜４０％の酸素富化空気を、湯温約４０℃の浴水中に溶解し、この酸素富化空気が溶解した浴水を浴槽への吐出口で減圧して吐出させることで、溶解した酸素富化空気を気泡径２００ｎｍ〜１００μｍの酸素富化空気の微細気泡として発生させ、浴槽内の湯温約４０℃の浴水中の溶存酸素量を７ｍｇ／Ｌ〜１３ｍｇ／Ｌとする」とは、「微細気泡発生装置から浴水中に供給される酸素濃度２５％〜４０％の酸素富化空気を、浴水中に溶解し、この酸素富化空気が溶解した浴水を浴槽への吐出口で減圧して吐出させることで、溶解した酸素富化空気をの微細気泡として発生させ、浴槽内の浴水中の溶存酸素量を高める」という概念で共通する。 
　
　そうすると、両者は、 
 「空気中の酸素濃度よりも高濃度の酸素を含む酸素富化空気を供給する酸素富化空気供給手段と、前記酸素富化空気供給手段からの酸素富化空気の供給を受けて浴槽内の浴水に酸素富化空気からなる微細気泡を発生する微細気泡発生装置を備え、前記酸素富化空気供給手段から供給される酸素富化空気の酸素濃度が２５％〜４０％で、微細気泡発生装置から浴水中に供給される酸素濃度２５％〜４０％の酸素富化空気を、浴水中に溶解し、この酸素富化空気が溶解した浴水を浴槽への吐出口で減圧して吐出させることで、溶解した酸素富化空気を微細気泡として発生させ、浴槽内の浴水中の溶存酸素量を高める浴槽装置。」 
 の点で一致しており、以下の点で相違している。  
 　 
（相違点１）  
　本願発明は、浴水の湯温が約４０℃であるのに対し、引用発明は、浴水の湯温が不明である点。 
（相違点２）  
　本願発明は、酸素富化空気が溶解した浴水を浴槽への吐出口で減圧して吐出させることで、発生させる微細気泡の気泡径が２００ｎｍ〜１００μｍであるのに対し、引用発明は、酸素富化空気が溶解した浴水を浴槽への吐出口で減圧して吐出させることで、発生させる微細気泡の気泡径が不明である点。　 
（相違点３）  
　本願発明は、浴槽内の湯温約４０℃の浴水中の溶存酸素量を７ｍｇ／Ｌ〜１３ｍｇ／Ｌとするのに対し、引用発明は、浴槽の浴水中の溶存酸素量が不明である点。　 
 　 
上記相違点について検討する。  
（相違点１について）  
　浴水の湯温が約４０℃であるのは、技術常識であるから、引用発明において、上記相違点１に係る本願発明の発明特定事項のようにすることは、当業者が容易に想到し得たことである。 
（相違点２について）  
　引用刊行物２には、溶存酸素量を増加した微細気泡水の発生装置において、風呂用水に用いられる微細気泡水の微細気泡の粒径が１〜３０μｍ（平均粒径３〜１０μｍ）である点が記載されており、引用刊行物２に記載された発明を引用発明に適用して上記相違点２に係る本願発明の発明特定事項のようにすることは、当業者が容易に想到し得たことである。　 
（相違点３について）  
　４０℃の水の飽和溶存酸素量が約６．６ｍｇ／Ｌである点は技術常識であり（必要であれば、相澤　睦夫、“計装豆知識　溶存酸素計のはなし”、［ｏｎｌｉｎｅ］、ＭＳ　ＴＯＤＡＹ　、２００１年２月号、株式会社エム・システム技研、［平成２４年５月１４日検索］インターネット〈URL：http://www.m-system.co.jp/mstoday1/index.html〉参照）、引用刊行物２に「微細気泡水には、・・・水内の溶存酸素は定常飽和状態の値の２０〜５０％増加」する点が記載されていることを考慮すると、技術常識及び引用刊行物２に記載された発明を引用発明に適用して約４０℃の浴水中の溶存酸素量を約７．９〜９．９ｍｇ／Ｌとすることは、当業者が容易に想到し得たことである。
　そして、本願発明の浴槽内の湯温約４０℃の浴水中の溶存酸素量の下限値及び上限値である「７ｍｇ／Ｌ」及び「１３ｍｇ／Ｌ」 について、本願の明細書には「【００３４】
　ここで、浴槽１の浴水Ｗ中の溶存酸素量が７ｍｇ／Ｌに満たないと、角質水分量の低下に要する時間が普通の浴水Ｗの場合とさほど変わらず、湯上り後に肌の湿った状態を長く維持できなくて、余裕を持って肌が湿った状態で化粧水などにより肌の手入れができないので好ましくない。また、浴槽１の浴水Ｗ中の溶存酸素量が１３ｍｇ／Ｌを超えると、浴水面から浴室空間内に多量の富化酸素が放出され、浴室空間内における酸素濃度が必要以上に高くなって、入浴している人の身体に対する負担が大きくて好ましくない。このため、本発明においては、浴水中の溶存酸素量を７ｍｇ／Ｌ〜１３ｍｇ／Ｌ、好ましくは７．５ｍｇ／Ｌ〜１２ｍｇ／Ｌとしている。」と記載されているのみであって、これらの値の臨界的意義については明らかでない。
　そうすると、これらの数値限定の意義は、単に当業者が通常採用する設計的事項の範囲を超えるものではなく、引用発明において、浴水中の溶存酸素量を本願発明のような範囲の量とすることは、当業者が適宜なし得ることにすぎない。 
 　 
　そして、本願発明による効果も、引用発明、引用刊行物２に記載された発明及び技術常識から当業者が予測し得た程度のものであって、格別のものとはいえない。  
 　   　
　したがって、本願発明は、引用発明、引用刊行物２に記載された発明及び技術常識に基いて、当業者が容易に発明をすることができたものである。
 　  
Ｖ．むすび  
　以上のとおり、本願発明は、引用発明、引用刊行物２に記載された発明及び技術常識に基いて、当業者が容易に発明をすることができたものであるから、特許法第２９条第２項の規定により、特許を受けることができない。  
 　よって、結論のとおり審決する。